(57)【要約】【課題】温調用媒体供給用のヘッダーが基板の一側辺の延在方向の中央付近に配置されており、且つ該ヘッダーから分岐する配管の長さが略同程度の長さとなっている温調マットを提供する。【解決手段】床暖房マット１のベース１０は、２枚の基板１１，１２を、各々の長辺同士を突き合わせるように配列してなる。各基板１１，１２の上面に付着された均熱シート材６１，６２は、該基板１１，１２同士の突き合わせ部Ｔにおいて非連続となっている。基板１１，１２は、各々の長辺方向の中央付近において、各々の下面同士が連結シート５０によって屈曲可能に連結されている。基板１１の長辺方向の中間付近にヘッダー４１が設置されている。ヘッダー４１から分岐した各温水配管４０は、各基板１１，１２の長辺方向の中央付近において、該基板１１，１２同士の突き合わせ部Ｔを跨いで、該基板１１から基板１２に連続して引き回されている。【選択図】図１
2008196827.tif 000002
【特許請求の範囲】
【請求項１】
上面に配管収容用の溝が設けられた略方形状の２枚以上の基板を、各々の一側辺同士を突き合わせるように配列してなるベースと、
該溝に収容され、該基板同士の突き合わせ部を跨いで、隣り合う基板に連続して引き回されている温調用配管と、
該温調用配管に温調用媒体を供給するためのヘッダーと、
各基板の上面を覆うように配置され、各基板の上面に付着された均熱シート材と
を有し、
各基板は、各々の前記一側辺と交叉方向に延在する折り線部を有し、該折り線部に沿って屈曲可能となっている温調マットにおいて、
該ヘッダーは、前記ベースの基板配列方向の一端側の外縁に沿う基板（以下、「ヘッダー配置基板」という。）の前記一側辺の延在方向の中間付近に配置されており、
前記温調用配管は、各基板の前記一側辺の延在方向の中間付近において、該基板同士の突き合わせ部を跨いで、隣り合う基板に連続して引き回されていることを特徴とする温調マット。
【請求項２】
請求項１において、前記ヘッダーは、複数の前記温調用配管を接続可能であり、
該ヘッダーに対し、前記基板の前記一側辺の一端側及び他端側からそれぞれ温調用配管が接続されており、
該一側辺の一端側から該ヘッダーに接続された温調用配管は、各基板のうち、該ヘッダーよりも該一側辺の一端側の領域に引き回されており、
該一側辺の他端側から該ヘッダーに接続された温調用配管は、各基板のうち、該ヘッダーよりも該一側辺の他端側の領域に引き回されていることを特徴とする温調マット。
【請求項３】
請求項１において、前記ヘッダーは、複数の前記温調用配管を接続可能であり、
該ヘッダーは、前記ヘッダー配置基板のうち、前記ベースの基板配列方向の一端側の外縁に臨むように配置されており、
該ヘッダーから各基板に別々の前記温調用配管が引き回されており、
該ヘッダー配置基板以外の基板に引き回された温調用配管は、それぞれ、該ヘッダーから、各々が引き回された基板までの間を、該基板同士の突き合わせ部を跨いで最短距離で引き回されていることを特徴とする温調マット。
【請求項４】
請求項１ないし３のいずれか１項において、隣り合う基板同士のうちの一方の基板上面に設けられた均熱シート材と、他方の基板上面に設けられた均熱シート材とは、該基板同士の突き合わせ部において非連続となっており、
各基板の前記一側辺の前記中間付近において、隣り合う基板の下面同士が、屈曲可能な連結体によって連結されていることを特徴とする温調マット。
【請求項５】
請求項１ないし３のいずれか１項において、隣り合う基板同士のうちの一方の基板上面に設けられた均熱シート材と、他方の基板上面に設けられた均熱シート材とは、該基板同士の突き合わせ部において非連続となっており、
隣り合う基板同士のうちの少なくとも一方の基板の前記一側辺における前記中間付近にあっては、均熱シート材が該基板上面から剥離可能な剥離可能部となっており、
該剥離可能部の均熱シート材を剥離させた部分では、前記温調用配管が前記溝から引き出され、これにより、該基板同士が所定距離離隔することが可能となっていることを特徴とする温調マット。
【請求項６】
請求項４の温調マットの折り畳み方法であって、
各基板を、各々の前記一側辺の延在方向の両端側から該一側辺の延在方向の中間付近に向って、それぞれ、前記均熱シート材を内側に巻き込むようにして巻回し、
次いで、前記連結体を屈曲させて、各基板の下面同士を対面させることを特徴とする温調マットの折り畳み方法。
【請求項７】
請求項５の温調マットの折り畳み方法であって、
隣り合う基板同士のうちの少なくとも一方の基板上面における前記剥離可能部の均熱シート材を剥離させ、
この剥離可能部の均熱シート材を剥離させた部分における前記温調用配管を前記溝から引き出して、該基板同士を離隔させ、
次いで、各基板を、各々の前記一側辺の延在方向の一端側から他端側に向って、前記均熱シート材を内側に巻き込むようにして巻回し、
その後、該基板同士の間の前記温調用配管を曲げて、各基板の下面同士を対面させることを特徴とする温調マットの折り畳み方法。
【発明の詳細な説明】
【技術分野】
【０００１】
本発明は、建物の室の床、壁、天井等の暖房や冷房を行うための温調マットに係り、特に、２枚以上の基板を、各々の一側辺同士を突き合わせるように配列してなるベースを備え、該基板同士の突き合わせ部を跨いで、隣り合う基板に連続して温調用配管が引き回されている温調マットに関する。また、本発明は、この温調マットの折り畳み方法に関する。
【背景技術】
【０００２】
床暖房構造として、板状のベースの上面の溝に温水配管を引き回した温水マットがある。
【０００３】
この温水マットとして、筒状に巻回可能なものが実用化されている。温水マットを巻回して筒状にすることにより、運搬時等の取り扱い性が良好なものとなる。また、巻回された温水マットを室の床に設置する場合には、この温水マットを、床の上を転がすようにして展開させることができるので、この温水マットの設置作業も容易に行うことができる。
【０００４】
しかしながら、この温水マットの巻回体は、長さが大きいため、建物内に搬入しにくいことがある。
【０００５】
特開２００２−１０６８６５号及び特開２００２−１３０７０５号には、ベースを構成する略長方形の基体パネルが、その横方向の中央付近で切断されて二分されている平面放熱用パネルが開示されている。
【０００６】
特開２００２−１０６８６５号及び特開２００２−１３０７０５号では、二分された基体パネル同士は、該基体パネルの縦方向の一端側において、ヒンジ部分を介して屈曲可能に連結されている。温水配管は、このヒンジ部分を通って、二分された基体パネルの一方から他方へ連続して引き回されている。
【０００７】
この特開２００２−１０６８６５号及び特開２００２−１３０７０５号の平面放熱用パネルを折り畳む場合、各基体パネルを縦方向に巻回した後、ヒンジ部分を屈曲させて、基体パネル同士の間で二つ折りする。
【０００８】
このように折り畳まれた平面放熱用パネルは、該平面放熱用パネルを巻回しただけの場合に比べて、長さが半分程度となるため、この平面放熱用パネルの建物内等への搬入作業を容易に行うことができる。
【特許文献１】特開２００２−１０６８６５号
【特許文献２】特開２００２−１３０７０５号
【発明の開示】
【発明が解決しようとする課題】
【０００９】
上記特開２００２−１０６８６５号及び特開２００２−１３０７０５号の平面放熱用パネルにあっては、温水配管に温水を供給するためのヘッダーは、基体パネルの長手方向の一端側に配置されている。
【００１０】
このように基体パネルの長手方向の一端側にヘッダーが配置されていると、例えば１本の温水配管を、ヘッダーから一方の基体パネルに引き回し、さらにヒンジ部を経由して他方の基体パネルにも引き回した場合には、温水配管が長くなり、基体パネルに温度斑が生じるおそれがある。
【００１１】
そこで、１個のヘッダーから複数本の温水配管を引き回して、１本１本の温水配管の長さを短くすることが考えられる。しかしながら、上記のように基体パネルの長手方向の一端側に１個のヘッダーを配置し、且つこのヘッダーから複数本の温水配管を引き回す場合、温水配管の引き回しが煩雑になるという問題がある。
【００１２】
本発明は、２枚以上の基板を、各々の一側辺同士を突き合わせるように配列してなるベースを備え、該基板同士の突き合わせ部を跨いで、隣り合う基板に連続して温調用配管が引き回されている温調マットにおいて、温度斑が生じにくく、且つヘッダーからの温調用配管の引き回しが容易な温調マットを提供することを目的とする。
【００１３】
また、本発明は、基板同士の間でベースを折り曲げたときに温調用配管が座屈することを防止することができる温調マット及びその折り畳み方法を提供することを目的とする。
【課題を解決するための手段】
【００１４】
請求項１の温調マットは、上面に配管収容用の溝が設けられた略方形状の２枚以上の基板を、各々の一側辺同士を突き合わせるように配列してなるベースと、該溝に収容され、該基板同士の突き合わせ部を跨いで、隣り合う基板に連続して引き回されている温調用配管と、該温調用配管に温調用媒体を供給するためのヘッダーと、各基板の上面を覆うように配置され、各基板の上面に付着された均熱シート材とを有し、各基板は、各々の前記一側辺と交叉方向に延在する折り線部を有し、該折り線部に沿って屈曲可能となっている温調マットにおいて、該ヘッダーは、前記ベースの基板配列方向の一端側の外縁に沿う基板（以下、「ヘッダー配置基板」という。）の前記一側辺の延在方向の中間付近に配置されており、前記温調用配管は、各基板の前記一側辺の延在方向の中間付近において、該基板同士の突き合わせ部を跨いで、隣り合う基板に連続して引き回されていることを特徴とするものである。
【００１５】
請求項２の温調マットは、請求項１において、前記ヘッダーは、複数の前記温調用配管を接続可能であり、該ヘッダーに対し、前記基板の前記一側辺の一端側及び他端側からそれぞれ温調用配管が接続されており、該一側辺の一端側から該ヘッダーに接続された温調用配管は、各基板のうち、該ヘッダーよりも該一側辺の一端側の領域に引き回されており、該一側辺の他端側から該ヘッダーに接続された温調用配管は、各基板のうち、該ヘッダーよりも該一側辺の他端側の領域に引き回されていることを特徴とするものである。
【００１６】
請求項３の温調マットは、請求項１において、前記ヘッダーは、複数の前記温調用配管を接続可能であり、該ヘッダーは、前記ヘッダー配置基板のうち、前記ベースの基板配列方向の一端側の外縁に臨むように配置されており、該ヘッダーから各基板に別々の前記温調用配管が引き回されており、該ヘッダー配置基板以外の基板に引き回された温調用配管は、それぞれ、該ヘッダーから、各々が引き回された基板までの間を、該基板同士の突き合わせ部を跨いで最短距離で引き回されていることを特徴とするものである。
【００１７】
請求項４の温調マットは、請求項１ないし３のいずれか１項において、隣り合う基板同士のうちの一方の基板上面に設けられた均熱シート材と、他方の基板上面に設けられた均熱シート材とは、該基板同士の突き合わせ部において非連続となっており、各基板の前記一側辺の前記中間付近において、隣り合う基板の下面同士が、屈曲可能な連結体によって連結されていることを特徴とするものである。
【００１８】
請求項５の温調マットは、請求項１ないし３のいずれか１項において、隣り合う基板同士のうちの一方の基板上面に設けられた均熱シート材と、他方の基板上面に設けられた均熱シート材とは、該基板同士の突き合わせ部において非連続となっており、隣り合う基板同士のうちの少なくとも一方の基板の前記一側辺における前記中間付近にあっては、均熱シート材が該基板上面から剥離可能な剥離可能部となっており、該剥離可能部の均熱シート材を剥離させた部分では、前記温調用配管が前記溝から引き出され、これにより、該基板同士が所定距離離隔することが可能となっていることを特徴とするものである。
【００１９】
請求項６の温調マットの折り畳み方法は、請求項４の温調マットの折り畳み方法であって、各基板を、各々の前記一側辺の延在方向の両端側から該一側辺の延在方向の中間付近に向って、それぞれ、前記均熱シート材を内側に巻き込むようにして巻回し、次いで、前記連結体を屈曲させて、各基板の下面同士を対面させることを特徴とするものである。
【００２０】
請求項７の温調マットの折り畳み方法は、請求項５の温調マットの折り畳み方法であって、隣り合う基板同士のうちの少なくとも一方の基板上面における前記剥離可能部の均熱シート材を剥離させ、この剥離可能部の均熱シート材を剥離させた部分における前記温調用配管を前記溝から引き出して、該基板同士を離隔させ、次いで、各基板を、各々の前記一側辺の延在方向の一端側から他端側に向って、前記均熱シート材を内側に巻き込むようにして巻回し、その後、該基板同士の間の前記温調用配管を曲げて、各基板の下面同士を対面させることを特徴とするものである。
【発明の効果】
【００２１】
本発明の温調マットにあっては、一方の基板の一側辺の中間付近に温調用媒体供給用のヘッダーが配置されているので、この温調マットが設置される室の温水コンセントが基板の該一側辺の中間付近に配置されていても、この温水コンセントの配置位置を変更することなく、このヘッダーと温水コンセントとを連結することができる。また、温水コンセントが基板の該一側辺の一端側及び他端側のいずれかに近接して配置されていても、比較的長さの短い連絡配管を用いて、このヘッダーと温水コンセントとを連結することができる。
【００２２】
この温調マットにあっては、温調用配管は、各基板の一側辺の中間付近において、該基板同士の突き合わせ部を跨いで一方の基板から他方の基板に引き回されている。従って、ヘッダーから、各基板の該ヘッダーよりも前記一側辺の一端側の領域に引き回される温調用配管の長さと、各基板の該ヘッダーよりも前記一側辺の他端側の領域に引き回される温調用配管の長さとを、ほぼ同程度とすることができる。これにより、各基板のいずれの領域についても略均一に温調する（暖める又は冷やす）ことができる。また、これらの温調配管の引き回しも容易である。
【００２３】
本発明においては、均熱シート材としては、熱伝導度の高いものであればよく、例えば金属箔、樹脂シート、無機材料シート、あるいはこれらの複合シートが挙げられる。
【００２４】
本発明の温調マットは、さらに、配管と接するように溝の内面から基板の上面にかけて配材された均熱板を有していてもよい。このような均熱板を設けることにより、配管から均熱シート材にさらに効率よく熱を伝えることができる。
【００２５】
本発明では、請求項２のように、ヘッダーは、複数の前記温調用配管を接続可能であり、該ヘッダーに対し、基板の一側辺の一端側及び他端側からそれぞれ温調用配管が接続されており、該一側辺の一端側から該ヘッダーに接続された温調用配管は、各基板のうち、該ヘッダーよりも該一側辺の一端側の領域に引き回されており、該一側辺の他端側から該ヘッダーに接続された温調用配管は、各基板のうち、該ヘッダーよりも該一側辺の他端側の領域に引き回されている構成とすることができる。
【００２６】
このように構成することにより、各基板の、ヘッダーを挟んでその一側辺の一端側の領域の温度と、他端側の領域の温度とを、略均等にすることができる。
【００２７】
また、請求項３のように、ヘッダーは、複数の前記温調用配管を接続可能であり、該ヘッダーは、ヘッダー配置基板のうち、ベースの基板配列方向の一端側の外縁に臨むように配置されており、該ヘッダーから各基板に別々の前記温調用配管が引き回されており、該ヘッダー配置基板以外の基板に引き回された温調用配管は、それぞれ、該ヘッダーから、各々が引き回された基板までの間を、該基板同士の突き合わせ部を跨いで最短距離で引き回されている構成とすることもできる。
【００２８】
このように構成することにより、ヘッダーから離れた基板の温度低下を最小限に抑えることができる。
【００２９】
請求項４の態様では、隣り合う基板同士のうちの一方の基板上面に設けられた均熱シート材と、他方の基板上面に設けられた均熱シート材とは、該基板同士の突き合わせ部において非連続となっており、各基板の一側辺の中間付近において、隣り合う基板の下面同士が、屈曲可能な連結体によって連結されている。
【００３０】
この請求項４の温調マットを折り畳む場合には、まず、各基板を、各々の前記一側辺の延在方向の両端側から該一側辺の延在方向の中間付近に向って、それぞれ、前記均熱シート材を内側に巻き込むようにして巻回し、次いで、前記連結体を屈曲させて、各基板の下面同士を対面させる。
【００３１】
このように、温調マットの巻回体を基板同士の間、即ちこの巻回体の長手方向の中間付近で二つ折りしているので、温調マットをコンパクトに折り畳むことができる。
【００３２】
請求項５の態様では、隣り合う基板同士のうちの一方の基板上面に設けられた均熱シート材と、他方の基板上面に設けられた均熱シート材とは、該基板同士の突き合わせ部において非連続となっており、隣り合う基板同士のうちの少なくとも一方の基板の一側辺における中間付近にあっては、均熱シート材が該基板上面から剥離可能な剥離可能部となっており、該剥離可能部の均熱シート材を剥離させた部分では、配管が溝から引き出され、これにより、基板同士が所定距離離隔することが可能となっている。
【００３３】
この請求項５の温調マットを折り畳む場合には、まず、隣り合う基板同士のうちの少なくとも一方の基板上面における剥離可能部の均熱シート材を剥離させ、この剥離可能部の均熱シート材を剥離させた部分における配管を溝から引き出して、基板同士を離隔させる。
【００３４】
次いで、各基板を、各々の前記一側辺の延在方向の一端側から他端側に向って、均熱シート材を内側に巻き込むようにして巻回し、その後、該基板同士の間の配管を曲げて、各基板の下面同士を対面させる。
【００３５】
この態様にあっても、温調マットの巻回体を基板同士の間、即ちこの巻回体の長手方向の中間付近で二つ折りしているので、温調マットをコンパクトに折り畳むことができる。
【００３６】
この請求項５の態様にあっては、温調マットを折り畳むのに先立ち、均熱シート材の剥離可能部を剥がしてこの部分の温調用配管を溝から引き出し、基板同士を離隔させるため、基板同士の間で温調マットの巻回体を折り曲げた場合、基板同士の間の配管は、座屈せずに比較的緩やかに湾曲するようになる。これにより、基板の折り曲げに伴って配管が座屈して破損することが防止される。
【発明を実施するための最良の形態】
【００３７】
以下、図面を参照して実施の形態について説明する。以下の各実施の形態は、床暖房マットへの本発明の適用例である。
【００３８】
以下の各実施の形態は、略方形状の２枚の基板を、各々の一側辺同士を突き合わるように配列して、床暖房マットのベースを構成した例である。ただし、図示は省略するが、本発明においては、３枚以上の基板を、各々の一側辺同士を突き合わるように配列して、床暖房マットのベースを構成してもよい。
【００３９】
なお、以下の各実施の形態は本発明の一例であり、本発明は以下の各実施の形態以外の形態をもとりうる。
【００４０】
［第１の実施の形態に係る温調マットとしての床暖房マット１］
第１図は第１の実施の形態に係る温調マットとしての床暖房マット１の上面図、第２図はこの床暖房マット１の下面図、第３図は第２図のIII−III線に沿う断面図、第４図はこの床暖房マット１の上面の中央付近の拡大図、第５図は第４図のＶ部分の拡大図、第６図は第５図のVI−VI線に沿う断面図、第７図はこの床暖房マット１のベース１０を屈曲させた状態を示す斜視図、第８図及び第９図はこの床暖房マット１の折り畳み途中時の斜視図、第１０図はこの床暖房マット１の折り畳み完了後の斜視図である。なお、第６図（ａ）はベース展開時を示し、第６図（ｂ）はベース屈曲途中時を示し、第６図（ｃ）はベース屈曲後を示している。
【００４１】
第１図、第４図及び第５図では均熱シート材の図示が省略されている。また、第５図では、温水配管の図示も省略されている。
【００４２】
この床暖房マット１は、略長方形状の２枚の基板１１，１２を、各々の長辺同士を突き合わせるように配列してなるベース１０と、各基板１１，１２の上面に設けられた溝１４（第３，５図）に配材された温水配管４０と、該温水配管４０が連なるヘッダー４１と、各基板１１，１２の長辺方向の中間付近において、該基板１１，１２同士の突き合わせ部Ｔを跨いで該基板１１，１２の下面同士を連結した屈曲可能な連結シート５０と、各基板１１，１２の上面を覆うように配置され、各基板１１，１２の上面に付着された均熱シート材６１，６２等を備えている。
【００４３】
この実施の形態では、各基板１１，１２は、それぞれ、複数枚（この実施の形態では１１枚）の帯状の盤体２０〜３０と、複数本（この実施の形態では１０本）の小根太３１とを、各々の長手方向を各基板１１，１２の横辺方向として、各基板１１，１２の長辺方向に交互に配列した如き構成となっている。各盤体２０〜３０は、各々の長側辺を隣接する小根太３１に突き合わせるようにして配置されている。これらの盤体２０〜３０のうち、盤体２５が各基板１１，１２の長辺方向の中間に位置している。
【００４４】
なお、基板１１，１２同士の間においては、ベース１０を展開したときには、該基板１１，１２同士の突き合わせ部Ｔを挟んで、同じ符号の盤体２０〜３０の端辺同士が対向する。
【００４５】
小根太３１の長さは、各盤体２０〜３０の長さよりも短い。第１図の通り、盤体２０，２１同士の間、盤体２２，２３同士の間、盤体２４，２５同士の間、盤体２６，２７同士の間及び盤体２８，２９同士の間の各小根太３１は、それぞれ、一端を各盤体２０〜２９の一端に揃えるようにして配置されている。また、盤体２１，２２同士の間、盤体２３，２４同士の間、盤体２５，２６同士の間、盤体２７，２８同士の間及び盤体２９，３０同士の間の各小根太３１は、それぞれ、他端を各盤体２１〜３０の他端に揃えるようにして配置されている。
【００４６】
盤体２０，２１同士、盤体２２，２３同士、盤体２４，２５同士、盤体２６，２７同士及び盤体２８，２９同士は、各々の間の小根太３１の前記他端側を回り込むように形成された連結部３２によって連結されている。また、盤体２１，２２同士、盤体２３，２４同士、盤体２５，２６同士、盤体２７，２８同士及び盤体２９，３０同士は、各々の間の小根太３１の前記一端側を回り込むように形成された連結部３２によって連結されている。
【００４７】
ただし、この実施の形態では、基板１２においては、該基板１２の長辺方向の中間付近に位置する盤体２４，２５同士の間の小根太３１の長さは、該盤体２４，２５の長さと同程度となっており、これらの盤体２４，２５同士の間には連結部３２が存在しない。
【００４８】
各連結部３２の小根太３１と反対側には、小小根太３３が取り付けられている。
【００４９】
この実施の形態では、基板１１の長辺方向の中間付近に位置する盤体２４の、基板１２と反対側の端部付近に、ヘッダー配置用の切欠き部２４ａ（第２図）が設けられている。基板１１の盤体２４，２５同士の間の連結部３２’は、一端側が該盤体２５に連なり、他端側がこの切欠き部２４ａに臨んでいる。この切欠き部２４ａ内に前記ヘッダー４１が配置されている。第２図の符号２４ｂは、この切欠き部２４ａ内にヘッダー４１を固定するためのスペーサを示している。
【００５０】
各盤体２０〜３０の上面には、該盤体２０〜３０の長手方向に延在する４条の配管収容用の溝１４が設けられている。これらの溝１４は、盤体２０〜３０の幅方向に互いに間隔をおいて配置されている。
【００５１】
連結部３２によって連結された盤体２０〜２４同士の間、並びに盤体２５〜３０同士の間においては、これらの溝１４同士は該連結部３２を通って連続している。
【００５２】
基板１１の盤体２４，２５においては、各溝１４の基板１２側の端部は、それぞれ、該盤体２４の該基板１２側の端辺に臨んでおり、これと反対側の端部は、それぞれ、前記切欠き部２４ａに臨んでいる。
【００５３】
また、基板１２の盤体２４，２５においては、各溝１４の基板１１側の端部は、それぞれ、該盤体２４，２５の該基板１１側の端辺に臨んでいる。
【００５４】
第５図に示すように、基板１１の盤体２４，２５においては、各溝１４が該盤体２４，２５の基板１２側の端部付近で円弧状に湾曲しており、各溝１４の端部は、該盤体２４，２５の基板１２側の端辺に沿って延在している。また、基板１２の盤体２４，２５においても、各溝１４が該盤体２４，２５の基板１１側の端部付近で円弧状に湾曲しており、各溝１４の端部は、該盤体２４，２５の基板１１側の端辺に沿って延在している。なお、基板１１側の各溝１４と、基板１２側の各溝１４とは、互いに反対側に向って凸となる円弧形状を呈するように湾曲している。
【００５５】
ベース１０を展開した状態においては、基板１１側の盤体２４，２５の各溝１４の端部と、基板１２側の盤体２４，２５の各溝１４の端部とがそれぞれ対面する。これにより、各溝１４が基板１１，１２同士の突き合わせ部Ｔを跨いで基板１１から基板１２に連続して延在したものとなる。この実施の形態では、第５図の通り、各溝１４は、基板１１から基板１２にかけて略Ｓ字形を呈するように連続する。
【００５６】
各溝１４の端部は盤体２４，２５の端辺に沿って延在しているので、これらの溝１４の端部同士が対面することにより、基板１１，１２同士の突き合わせ部Ｔを跨ぎ、且つ該突き合わせ部Ｔに沿って延在する溝が形成される。第５図の通り、盤体２４，２５の端辺からの各溝１４の端部の幅Ｗ１は、各溝１４の他の部分の幅Ｗ２の半分かそれよりも若干大きなものとなっている。従って、これらの溝１４の端部同士が対面することにより形成される溝の幅２Ｗ１は、各溝１４の他の部分の幅Ｗ２と略同等の大きさとなる。
【００５７】
なお、第５図では、各溝１４は突き合わせ部Ｔを跨いで基板１１から基板１２にかけて略Ｓ字形を呈しているが、他の形態として、溝１４は、突き合わせ部Ｔを、該突き合わせ部Ｔの延在方向と略交叉方向に跨いでもよく、あるいは、該突き合わせ部Ｔの延在方向に対し斜め方向に略直線状に跨いでもよい。
【００５８】
温水配管４０は、各溝１４に収容されるようにして、各基板１１，１２の長辺方向の中間付近において、該基板１１，１２同士の突き合わせ部Ｔを跨いで、該基板１１から基板１２に連続して引き回されている。
【００５９】
第１図の通り、この実施の形態では、ヘッダー４１から基板１１の盤体２４側と盤体２５側とにそれぞれ温水配管４０が引き回されている。
【００６０】
ヘッダー４１から基板１１の盤体２４側に引き回された温水配管４０は、この盤体２４から、該基板１１の盤体２３，２２，２１，２０に連結部３２を通って連続して引き回されると共に、基板１１，１２同士の突き合わせ部Ｔを横切って基板１２の盤体２４に引き回され、さらに、この盤体２４から該基板１２の盤体２３，２２，２１，２０に連結部３２を通って連続して引き回されている。
【００６１】
また、ヘッダー４１から基板１１の盤体２５側に引き回された温水配管４０は、この盤体２５から、該基板１１の盤体２６，２７，２８，２９，３０に連結部３２を通って連続して引き回されると共に、基板１１，１２同士の突き合わせ部Ｔを横切って基板１２の盤体２５に引き回され、さらに、この盤体２５から該基板１２の盤体２６，２７，２８，２９，３０に連結部３２を通って連続して引き回されている。
【００６２】
温水配管４０を溝１４に収容しつつこのように引き回した後、基板１１の上面及び基板１２の上面に、それぞれ、接着剤等により均熱シート材６１，６２が付着される。これらの均熱シート材６１，６２は、各基板１１，１２において、盤体２０〜３０に跨って連続して配置されている。この均熱シート材６１，６２により、各基板１１，１２において、盤体２０〜３０及びこれらの間の各小根太３１が連結されている。
【００６３】
均熱シート材６１，６２の端部は、それぞれ、基板１１，１２同士の突き合わせ部Ｔに臨んでおり、該突き合わせ部Ｔにおいて、均熱シート材６１，６２同士は非連続となっている。
【００６４】
前記連結シート５０は、この実施の形態では、柔軟に屈曲可能な布又は合成樹脂シート等よりなる。この連結シート５０は、基板１１，１２同士の突き合わせ部Ｔを跨いで、基板１１の盤体２４，２５の下面から、基板１２の盤体２４，２５の下面まで連続して配置され、接着剤等によってこれらの下面に付着されている。
【００６５】
このように構成された床暖房マット１にあっては、基板１１の長辺方向の中間付近に位置する盤体２４にヘッダー４１が配置されている。従って、この床暖房マット１が設置される室の躯体側温水パイプ末端の温水コンセント（図示略）が基板１１の長辺方向の一端側及び他端側のいずれに近接して配置されていても、長さが該基板１１の長辺の全長の半分程度かそれよりも短い連絡配管（図示略）でヘッダー４１と温水コンセントとを連結することができるので、温水が温水コンセントからヘッダー４１に到達するまでに温水の温度が低下することを抑制することができる。
【００６６】
この結果、室の温水コンセントの配置位置に合わせてヘッダー４１が配置された専用の基板１１を種々取り揃えたり、ヘッダー４１の位置に合わせて該温水コンセントの配置位置を変更する工事を行うことも不要となる。
【００６７】
この床暖房マット１にあっては、ヘッダー４１から基板１１の盤体２４側に引き回された温水配管４０は、この基板１１の盤体２４から基板１２の盤体２４に引き回されており、ヘッダー４１から基板１１の盤体２５側に引き回された温水配管４０は、この基板１１の盤体２５から基板１２の盤体２５に引き回されている。即ち、各温水配管４０は、各基板１１，１２の長辺方向の中間付近において、該基板１１から基板１２に引き回されている。
【００６８】
従って、ヘッダー４１から双方の基板１１，１２の盤体２０〜２４に連続して引き回される温水配管４０の長さと、ヘッダー４１から双方の基板１１，１２の盤体２５〜３０に連続して引き回される温水配管４０との長さはほぼ同程度である。これにより、各基板１１，１２の盤体２０〜２４と盤体２５〜３０との間で温度差が生じにくく、床暖房マット１の全面にわたって温度が略均一となる。
【００６９】
この床暖房マット１を折り畳む手順は以下の通りである。
【００７０】
まず、第８図のように、各基板１１，１２を、各々の長辺方向の両端側から該長辺方向の中間付近に向って、それぞれ、均熱シート材６１，６２を内側に巻き込むようにして巻回する。第９図は、各基板１１，１２をこのように巻回した後の状態を示している。
【００７１】
次いで、第１０図のように、基板１１，１２同士の間で連結シート５０を屈曲させて、各基板１１，１２の下面同士を対面させる。
【００７２】
このように、第９図の状態の床暖房マット１の巻回体を基板１１，１２同士の間、即ちこの巻回体の長手方向の中間付近で二つ折りしているので、床暖房マット１を第１０図の如くコンパクトに折り畳むことができる。
【００７３】
なお、前述の通り、温水配管４０のうち、基板１１，１２同士の突き合わせ部Ｔを跨ぐ部分が、この突き合わせ部Ｔに沿って延在している場合、この突き合わせ部Ｔで基板１１，１２を折り曲げた際には、第６図（ａ）〜（ｃ）及び第７図の通り、温水配管４０は、この突き合わせ部Ｔを跨ぐ部分がその軸心回りに捩れるようにして曲がる。これにより、基板１１，１２の折り曲げに伴い、温水配管４０が座屈して破損することが防止される。
【００７４】
［第２の実施の形態に係る温調マットとしての床暖房マット１Ａ］
第１１図は第２の実施の形態に係る温調マットとしての床暖房マット１Ａの上面図、第１２図はこの床暖房マット１Ａの上面の中央付近の拡大図、第１３図は温水配管４０を配管収容用溝１４から引き出した状態における、床暖房マット１Ａの上面の中央付近の拡大図、第１４図はこの床暖房マット１Ａのベース１０を屈曲させた状態を示す斜視図、第１５図はこの床暖房マット１Ａの折り畳み途中時の斜視図、第１６図はこの床暖房マット１Ａの折り畳み完了後の斜視図である。
【００７５】
なお、第１１〜１３図では均熱シート材の図示が省略されている。
【００７６】
この床暖房マット１Ａにおいては、ベース１０を構成する基板１１，１２の下面同士を連結する連結シート５０が設けられておらず、基板１１，１２同士は、これらの突き合わせ部Ｔを跨いで該基板１１から基板１２に引き回された温水配管４０のみによって連結されている。
【００７７】
なお、この実施の形態では、第１２，１３図に示すように、基板１１，１２の盤体２４，２４同士の間では、隣接する盤体２５に近い側の２本の溝１４のみが相互に連続しており、基板１１，１２の盤体２５，２５同士の間では、隣接する盤体２４に近い側の２本の溝１４のみが相互に連続している。
【００７８】
この実施の形態でも、基板１１の盤体２４，２５から基板１２の盤体２４，２５に連続する各溝１４は、各盤体２４，２５の突き合わせ部Ｔ側の端辺付近で円弧状に湾曲しており、基板１１から基板１２にかけて略Ｓ字形を呈するように延在している。
【００７９】
なお、第１の実施の形態と同様に、溝１４は、突き合わせ部Ｔを、該突き合わせ部Ｔの延在方向と略交叉方向に跨いでもよく、あるいは、該突き合わせ部Ｔの延在方向に対し斜め方向に略直線状に跨いでもよい。
【００８０】
この床暖房マット１Ａにおいては、各基板１１，１２の上面にそれぞれ付着された均熱シート材６１，６２のうち、各盤体２４，２５の突き合わせ部Ｔ側の端辺付近を覆う部分が、それぞれ、各盤体２４，２５の上面から剥離可能な剥離可能部６３（第１４図）となっている。第１２，１３図において、二点鎖線によって囲まれた領域Ｌは、それぞれ、盤体２４，２５のうちこの剥離可能部６３によって覆われている領域を示している。
【００８１】
図示の通り、基板１１の盤体２４，２５から基板１２の盤体２４，２５に連続する各溝１４は、それぞれ、この領域Ｌ内において円弧状に湾曲している。
【００８２】
この床暖房マット１Ａにおいては、剥離可能部６３が剥がされると、この剥離可能部６３によって覆われていた各領域Ｌ内の温水配管４０が、第１３図のように溝１４から引き出し可能となる。
【００８３】
第１３，１４図の通り、各領域Ｌ内において溝１４を円弧状に湾曲させると、この溝１４から温水配管４０を引き出して基板１１，１２同士の間で伸ばしたときに、基板１１，１２同士が離隔し易くなる。
【００８４】
この床暖房マット１Ａのその他の構成は第１〜１０図の床暖房マット１と同様であり、第１１〜１６図において第１〜１０図と同一符号は同一部分を示している。
【００８５】
この床暖房マット１Ａにあっても、基板１１の長辺方向の中間付近に位置する盤体２４にヘッダー４１が配置されている。従って、この床暖房マット１が設置される室の躯体側温水パイプ末端の温水コンセント（図示略）が基板１１の長辺方向の一端側及び他端側のいずれに近接して配置されていても、長さが該基板１１の長辺の全長の半分程度かそれよりも短い連絡配管（図示略）でヘッダー４１と温水コンセントとを連結することができるので、温水が温水コンセントからヘッダー４１に到達するまでに温水の温度が低下することを抑制することができる。
【００８６】
この結果、室の温水コンセントの配置位置に合わせてヘッダー４１が配置された専用の基板１１を種々取り揃えたり、ヘッダー４１の位置に合わせて該温水コンセントの配置位置を変更する工事を行うことも不要となる。
【００８７】
また、この床暖房マット１Ａにあっても、ヘッダー４１から基板１１の盤体２４側に引き回された温水配管４０は、この基板１１の盤体２４から基板１２の盤体２４に引き回されており、ヘッダー４１から基板１１の盤体２５側に引き回された温水配管４０は、この基板１１の盤体２５から基板１２の盤体２５に引き回されている。即ち、各温水配管４０は、各基板１１，１２の長辺方向の中間付近において、該基板１１から基板１２に引き回されている。
【００８８】
従って、ヘッダー４１から双方の基板１１，１２の盤体２０〜２４に連続して引き回される温水配管４０の長さと、ヘッダー４１から双方の基板１１，１２の盤体２５〜３０に連続して引き回される温水配管４０との長さはほぼ同程度である。これにより、各基板１１，１２の盤体２０〜２４と盤体２５〜３０との間で温度差が生じにくく、床暖房マット１の全面にわたって温度が略均一となる。
【００８９】
この床暖房マット１Ａを折り畳む手順は以下の通りである。
【００９０】
まず、第１４図のように、各剥離可能部６３を剥がして、各剥離可能部６３によって覆われていた領域Ｌ内の温水配管４０をそれぞれ溝１４から引き出す。これにより、基板１１，１２同士が離隔する。
【００９１】
次いで、各基板１１，１２を、各々の長辺方向の一端側から他端側に向って、それぞれ、均熱シート材６１，６２を内側に巻き込むようにして巻回する。第１５図は、各基板１１，１２をこのように巻回した後の状態を示している。
【００９２】
その後、第１６図のように、基板１１，１２同士の間の温水配管４０を曲げて、各基板１１，１２の下面同士を対面させる。
【００９３】
この床暖房マット１Ａにあっても、第１５図の状態の該床暖房マット１Ａの巻回体を基板１１，１２同士の間、即ちこの巻回体の長手方向の中間付近で二つ折りしているので、該床暖房マット１Ａを第１６図の如くコンパクトに折り畳むことができる。
【００９４】
この床暖房マット１Ａにあっては、均熱シート材６１，６２の各剥離可能部６３を剥がしてこの部分の温水配管４０を溝１４から引き出し、基板１１，１２同士を離隔させるため、基板１１，１２同士の間で床暖房マット１Ａの巻回体を折り曲げても、基板１１，１２同士の間の温水配管４０は、座屈せずに比較的緩やかに湾曲するようになる。これにより、基板１１，１２の折り曲げに伴って温水配管４０が座屈して破損することが防止される。
【００９５】
［材質等］
上記各部材の材質の一例として次のものが挙げられるが、これらに限定されるものではない。
【００９６】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００９７】
小根太は木材や釘打ち可能な合成木材が好ましい。
【００９８】
均熱シート材はアルミ又は銅の金属箔が好ましい。
【００９９】
温水配管としては、可撓性のポリエチレン等の合成樹脂チューブや銅パイプが例示される。
【０１００】
［その他の構成］
上記の各実施の形態は、いずれも本発明の一例を示すものであり、本発明は図示の構成に限定されない。
【０１０１】
例えば、第１の実施の形態では、基板１１，１２の下面同士を屈曲可能に連結する連結体として、柔軟に屈曲可能な布又は合成樹脂シート等よりなる連結シート５０を用いているが、これ以外の連結体を用いてもよい。例えば、図示はしないが、蝶番等を用いて基板１１，１２同士を連結してもよい。
【０１０２】
上記の各実施の形態では温水配管４０が均熱板を介さずに各溝１４内に収容されているが、各溝１４の内面から各基板１１，１２の上面にかけて均熱板を配材するようにしてもよい。このように構成することにより、温水配管４０からの熱をより効率よく均熱シート材６１，６２に伝えることができる。
【０１０３】
上記の各実施の形態は、床暖房マットに関するものであるが、本発明の温調マットは、壁、天井等に配置されてもよい。また、温水ではなく、冷水を配管に通水して冷房するようにしてもよい。水以外のオイル、不凍液等の熱媒体を流通させてもよい。
【図面の簡単な説明】
【０１０４】
【図１】第１の実施の形態に係る温調マットとしての床暖房マット１の上面図である。
【図２】床暖房マット１の下面図である。
【図３】図２のIII−III線に沿う断面図である。
【図４】床暖房マット１の上面の中央付近の拡大図である。
【図５】図４のＶ部分の拡大図である。
【図６】図５のVI−VI線に沿う断面図である。
【図７】床暖房マット１のベース１０を屈曲させた状態を示す斜視図である。
【図８】床暖房マット１の折り畳み途中時の斜視図である。
【図９】床暖房マット１の折り畳み途中時の斜視図である。
【図１０】床暖房マット１の折り畳み完了後の斜視図である。
【図１１】第２の実施の形態に係る温調マットとしての床暖房マット１Ａの上面図である。
【図１２】床暖房マット１Ａの上面の中央付近の拡大図である。
【図１３】温水配管４０を配管収容用溝１４から引き出した状態における、床暖房マット１Ａの上面の中央付近の拡大図である。
【図１４】床暖房マット１Ａのベース１０を屈曲させた状態を示す斜視図である。
【図１５】床暖房マット１Ａの折り畳み途中時の斜視図である。
【図１６】床暖房マット１Ａの折り畳み完了後の斜視図である。
【符号の説明】
【０１０５】
１，１Ａ  床暖房マット
１０  ベース
１１，１２  基板
１４  溝
２０〜３０  盤体
３１  小根太
３２  連結部
４０  温水配管
４１  ヘッダー
５０  連結シート
６１，６２  均熱シート材
６３  剥離可能部
【図１】
2008196827.tif 000003
【図２】
2008196827.tif 000004
【図３】
2008196827.tif 000005
【図４】
2008196827.tif 000006
【図５】
2008196827.tif 000007
【図６】
2008196827.tif 000008
【図７】
2008196827.tif 000009
【図８】
2008196827.tif 000010
【図９】
2008196827.tif 000011
【図１０】
2008196827.tif 000012
【図１１】
2008196827.tif 000013
【図１２】
2008196827.tif 000014
【図１３】
2008196827.tif 000015
【図１４】
2008196827.tif 000016
【図１５】
2008196827.tif 000017
【図１６】
2008196827.tif 000018